(57)【要約】 【課題】  内釜内の圧力状態及び非圧力状態において各々調理可能であり、調理の品質及び使用便宜性が向上した電気炊飯器を提供すること。【解決手段】  内釜が収容される本体と、本体の上部に結合されて開閉し、上面の一側に前記内釜のロックのための内釜ロック手段に連動するハンドルが備えられた蓋部と、蓋部を貫通するように配置され、ハンドルの回転に連動して内釜内の蒸気排出のための開閉状態が転換及び維持される圧力転換手段と、圧力転換手段が閉鎖された圧力調理モードにおいて内釜内の圧力によって選択的に開閉される圧力対応作動手段とを含む電気炊飯器を提供する。【選択図】図１
2019013742.tif 000002
【特許請求の範囲】
【請求項１】
内釜が収容される本体と、
前記本体の上部に結合されて開閉し、上面の一側に前記内釜のロックのための内釜ロック手段に連動するハンドルが備えられた蓋部と、
前記蓋部を貫通するように配置され、前記ハンドルの回転に連動して前記内釜内の蒸気排出のための開閉状態が転換及び維持される圧力転換手段と、
前記圧力転換手段が閉鎖された圧力調理モードにおいて前記内釜内の圧力によって選択的に開閉される圧力対応作動手段と、を含む
ことを特徴とする電気炊飯器。
【請求項２】
さらに前記ハンドルの下端に連結されて回動し、一端にロッキングリング連動部が設けられ、他端にレバー連動部が設けられたハンドルベースと、
前記レバー連動部の回転に対応して一側及び他側に直線移動するリフトレバーと、を含む
請求項１に記載の電気炊飯器。
【請求項３】
前記リフトレバーの一側には、前記レバー連動部に突設された連動突起が挿入されるように貫通し、前記連動突起の回転軌跡の一端から接線方向に拡張形成されたクランク孔が形成される
請求項２に記載の電気炊飯器。
【請求項４】
前記リフトレバーは前記圧力転換手段の外周に接して直線移動するように配置され、
前記リフトレバーの上面には、直線移動時に前記圧力転換手段の外周に接する部分に沿って、前記ハンドルのロック回転時に直線移動方向に行くほど上方に傾斜したリフト突起が突出される
請求項２に記載の電気炊飯器。
【請求項５】
さらに前記ハンドルの下端に連結されて回動し、一端にロッキングリング連動部が設けられ、他端にピストン連動部が設けられたハンドルベースを含む
請求項１に記載の電気炊飯器。
【請求項６】
前記ピストン連動部は、前記ハンドルの回転時に前記圧力転換手段の外周に接して回転するように延長し、
前記ピストン連動部の上面には、回転時に前記圧力転換手段の外周に接する部分に沿って、前記ハンドルのロック回転方向に行くほど上方に傾斜したリフト突起が突出される
請求項５に記載の電気炊飯器。
【請求項７】
前記圧力転換手段は、
前記蓋部の下面を貫通するように設けられ、内部に前記内釜の内部に連通する圧力転換流路が形成された下部シリンダーと、
前記圧力転換流路の開閉状態が転換されるように、前記ハンドルの回転に連動して移動する手段に上方に傾斜して突設されたリフト突起の傾斜面に沿って乗降する乗降翼部が外周に突設された乗降ピストンと、
前記圧力転換流路の開閉状態が維持されるように、前記下部シリンダーの上部に結合されて前記乗降翼部を押圧する加圧手段と、を含む
請求項１に記載の電気炊飯器。
【請求項８】
前記乗降翼部の縁部は前記リフト突起がスライドするようにラウンドして形成される
請求項７に記載の電気炊飯器。
【請求項９】
前記加圧手段は、前記圧力転換流路が所定の理想圧力以上で強制に開放されるように、前記乗降ピストンの外周に取り付けられ、前記理想圧力に対応する弾性係数を有する弾性部材からなる
請求項７に記載の電気炊飯器。
【請求項１０】
前記加圧手段は、前記圧力転換流路が所定の理想圧力以上では強制に開放されるように、前記理想圧力に対応する重量で前記乗降ピストンの外周に備えられた圧力荷重錘からなる
請求項７に記載の電気炊飯器。
【請求項１１】
さらに前記蓋部の下面に設けられ、前記圧力転換手段及び前記圧力対応作動手段を纏めて固定及び支持する複数の装着孔が形成された制御板を含み、
前記下部シリンダーの下端には前記装着孔の内周にネジ締結される固定締結部が設けられる
請求項７に記載の電気炊飯器。
【請求項１２】
前記下部シリンダーの下端には、前記蓋部の下面をカバーするリードプレートに形成されたＤカット孔に嵌合挿入されるＤカット結合部が形成される
請求項７に記載の電気炊飯器。
【請求項１３】
前記昇降ピストンは、
下面に前記圧力転換流路を遮蔽する遮蔽突起が突設され、前記遮蔽突起の外郭に沿って 転換排出孔が形成されて前記下部シリンダーの上端に安着する安着板と、
前記下部シリンダーの外周を囲むように前記安着板の外側端から下側に延長形成された下部スライド管と、を含む
請求項７に記載の電気炊飯器。
【請求項１４】
前記遮蔽突起は下方に行くほど半径方向の内側に狭くなり、
前記圧力転換流路の上端には前記遮蔽突起が接するように上方に行くほど半径方向の外側に広くなる密閉接触部が設けられる
請求項１３に記載の電気炊飯器。
【請求項１５】
前記下部シリンダーの外周には前記下部スライド管の内周を密閉する密閉部材が設けられる
請求項１３に記載の電気炊飯器。
【請求項１６】
前記下部スライド管の内周にはタブ組立突起が突設され、
前記下部シリンダーの外周には前記タブ組立突起が回転締結されるタブ結合突起と、前記タブ結合突起を通過した前記タブ組立突起が挿入され、前記乗降ピストンの乗降間隔に対応する上下幅で形成された突起収容溝とが形成される
請求項１３に記載の電気炊飯器。
【請求項１７】
さらに前記乗降ピストンは前記安着板の外側端から上方に延びて前記蓋部の上面を貫通するように配置される上部スライド管を含み、
前記上部スライド管の内周には、前記転換排出孔の上部をカバーする飛散防止段差部が形成される
請求項１３に記載の電気炊飯器。
【請求項１８】
さらに前記圧力転換手段は前記蓋部の上面を貫通するように配置される上部シリンダーを含み、
前記上部シリンダーの下端には、前記転換排出孔を貫通して前記下部シリンダーに締結されるように円弧形に分割されて下方に延びたコラム締結部が形成される
請求項１３に記載の電気炊飯器。
【請求項１９】
さらに前記乗降ピストンは前記上部シリンダーの外周を囲むように前記安着板の外側端から上側に延長形成された上部スライド管を含み、
前記上部シリンダーの外周には前記上部スライド管の内周を密閉する密閉部材が設けられ、
前記上部シリンダーの内周には前記転換排出孔に対向配置されるように半径方向の内側に突設された飛散防止板が設けられる
請求項１８に記載の電気炊飯器。
【請求項２０】
前記蓋部の上面には、前記圧力対応作動手段及び前記圧力転換手段の蒸気排出を案内するスチームキャップが着脱自在に設けられ、
前記圧力対応作動手段は、電気信号によって開閉されるソレノイドバルブと、前記内釜内の蒸気圧力によって乗降する重量錘を備える圧力錘バルブとからなり、
前記本体には前記内釜ロック手段のロック解除時に前記蓋部が選択的に開閉されるようにロックする補助ロック手段を備える
請求項１に記載の電気炊飯器。
【発明の詳細な説明】
【技術分野】
【０００１】
本発明は電気炊飯器に関し、より詳しくは、内釜内の圧力状態及び非圧力状態において各々調理可能であり、調理の品質及び使用便宜性が向上した電気炊飯器に関する。
【背景技術】
【０００２】
一般的に電気炊飯器とは、営業所及び家庭で炊事時に使用する電気釜、電気圧力炊飯器などを意味し、発熱部が備えられた本体と、該本体の上部を覆う蓋部とからなる。
【０００３】
本体には調理材料をいれる内釜が収容され、蓋部は本体の一側にヒンジ結合されて開閉し、下部には内釜の上部開口を密閉するための内釜カバーが備えられる。内釜カバーの一側には内釜に連通する流動孔が形成され、内釜内の蒸気が流動孔を介して蓋部に設けられた圧力調節手段に流動する。
【０００４】
詳しくは、圧力調節手段は、内釜の内部と炊飯器の外部を連結する蒸気排出流路が開閉するように電気的に駆動するソレノイドバルブ、内釜内の圧力を一定に維持するための圧力錘バルブなどを備える。即ち、調理が始まると、ソレノイドバルブにより蒸気排出流路が閉鎖されて内釜内の圧力が上昇し、圧力錘バルブにより内釜内の圧力が一定に維持される。
【０００５】
しかし、従来の電気炊飯器では、圧力錘の重量圧と蒸気圧の相互作用により内釜内の圧力が所定値に維持されるので、ユーザの好みや料理の種類に合わせた調理方法を適用/選択できず、調理の品質が低下する問題があった。
【０００６】
即ち、圧力が不要な調理材料の場合、高圧により食感が脆くなる。またもちもちしっとりとした食感の圧力釜のご飯より柔らかい食感の非圧力釜のご飯の方が好きな人には、非圧力電気釜を別途に購入したり鍋炊きをしたりする必要がある。
【０００７】
よって、炊事中にソレノイドバルブを一定時間・周期でさらに開いて火力を下げるか、或いは水に浸しておく時間を長くすることにより柔らかい食感を提供するが、非圧力電気釜の食感には及ばない。
【０００８】
一方、調理中に内釜内に圧力が存在する場合、内釜の高圧状態では蓋部の開放を遮断する圧力安全装置があるため、調理状態の確認や材料の追加投入のための蓋部の開閉が不可能であり不便である。
【発明の概要】
【発明が解決しようとする課題】
【０００９】
上記問題を解決するために、本発明は内釜内の圧力状態及び非圧力状態において各々調理可能であり、調理の品質及び使用便宜性が向上した電気炊飯器を提供することを目的とする。
【課題を解決するための手段】
【００１０】
上記問題を解決するために、本発明は、内釜が収容される本体と、本体の上部に結合されて開閉し、上面の一側に内釜のロックのための内釜ロック手段に連動するハンドルが備えられた蓋部と、該蓋部を貫通するように配置され、ハンドルの回転に連動して内釜内の蒸気排出のための開閉状態が転換及び維持される圧力転換手段と、圧力転換手段が閉鎖された圧力調理モードにおいて内釜内の圧力によって選択的に開閉される圧力対応作動手段とを含む電気炊飯器を提供する。
【図面の簡単な説明】
【００１１】
【図１】本発明の第１実施形態による電気炊飯器の蓋部を示す分解斜視図
【図２Ａ】本発明の第１実施形態による電気炊飯器において圧力転換手段の開放及び閉鎖状態を示す斜視図
【図２Ｂ】本発明の第１実施形態による電気炊飯器において圧力転換手段の開放及び閉鎖状態を示す斜視図
【図３Ａ】本発明の第１実施形態による電気炊飯器において圧力転換手段の開放及び閉鎖状態を示す断面図
【図３Ｂ】本発明の第１実施形態による電気炊飯器において圧力転換手段の開放及び閉鎖状態を示す断面図
【図４】本発明の第１実施形態による電気炊飯器において加圧手段の変形例を示す例示図
【図５】本発明の第１実施形態による電気炊飯器において下部シリンダーの結合構造に関する変形例を示す例示図
【図６】本発明の第１実施形態による電気炊飯器を示すブロック図
【図７】本発明の第２実施形態による電気炊飯器の蓋部を示す断面図
【図８Ａ】本発明の第３実施形態による電気炊飯器において圧力転換手段の開放及び閉鎖状態を示す斜視図
【図８Ｂ】本発明の第３実施形態による電気炊飯器において圧力転換手段の開放及び閉鎖状態を示す斜視図
【図９Ａ】本発明の第３実施形態による電気炊飯器において圧力転換手段の開放及び閉鎖状態を示す断面図
【図９Ｂ】本発明の第３実施形態による電気炊飯器において圧力転換手段の開放及び閉鎖状態を示す断面図
【発明を実施するための形態】
【００１２】
以下、図面を参照しながら、本発明の好ましい実施形態による電気炊飯器について詳細に説明する。
【００１３】
図１は本発明の第１実施形態による電気炊飯器の蓋部を示す分解斜視図であり、図２Ａ及び図２Ｂは本発明の第１実施形態による電気炊飯器において圧力転換手段の開放及び閉鎖状態を示す斜視図であり、図３Ａ及び図３Ｂは本発明の第１実施形態による電気炊飯器において圧力転換手段の開放及び閉鎖状態を示す断面図である。図４は本発明の第１実施形態による電気炊飯器において加圧手段の変形例を示す例示図であり、図５は本発明の第１実施形態による電気炊飯器において下部シリンダーの結合構造に関する変形例を示す例示図であり、図６は本発明の第１実施形態による電気炊飯器を示すブロック図である。
【００１４】
図１ないし図６に示すように、本発明による電気炊飯器１００は、本体(図示せず)、蓋部１０、圧力対応作動手段９０及び圧力転換手段５０からなる。
【００１５】
ここで、本体(図示せず)内には、熱板ヒータ或いは誘導加熱装置などの加熱手段１９ｃを備える装着空間が形成され、装着空間内には調理材料をいれる内釜(図示せず)が収容される。この時、内釜の上部には半径方向の外側に複数のフランジ部が突出して形成される。
【００１６】
図１及び図２Ａに示すように、蓋部１０は、本体(図示せず)の上部に結合されて開閉し、各種電子部品及び配線が設けられる内部蓋部１０ｂと、該内部蓋部１０ｂをカバーし、上面の一側にハンドル１１が備えられた外部蓋部１０ａとからなる。ここで、ハンドル１１は開閉手段の一例である。即ち、ハンドルはユーザの操作により内釜のロックのための内釜ロック手段に連動する電気式電動モーターなどで代替でき、それを含む概念である。
【００１７】
以下、一側は蓋部１０の開放端部１７を向く方向を、他側は蓋部１０のヒンジ連結部１６を向く方向を意味する。
【００１８】
ハンドル１１は内釜のロックのための内釜ロック手段に連動する。ここで、内釜ロック手段は、内部蓋部１０ｂの下面に回転自在に結合されて回転角度によってフランジ部に選択的にロックされるロッキングリング２０などで形成されるが、これに限定されない。
【００１９】
例えば、ロッキングリング２０の内周には各々のフランジ部に対応して半径方向の内側に複数のロック突起２１が突設される。この時、ロッキングリング２０がロック解除角度に回転すると、各々のロック突起２１がフタンジ部の間の空間に配置され、蓋部１０と内釜(図示せず)が分離されて開閉が可能になる。また蓋部１０が閉じられた状態でロッキングリング２０がロック角度に回転すると、各々のロック突起２１がフランジ部の下端に拘束されて蓋部１０と内釜(図示せず)がロックされる。
【００２０】
図１ないし図３Ａに示すように、ハンドル１１の下端にはハンドルベース３０が連結される。詳しくは、ハンドルベース３０は、支持部３０ｃ、該支持部３０ｃの一端及び他端に突設されたロッキングリング連動部３０ａ及びレバー連動部３０ｂからなる。支持部３０ｃは上面にハンドル１１の下端がキー結合され、下面に形成された回転支持溝部３４に内部蓋部１０ｂの支持突起１４が挿入されて回転支持される。これにより、ハンドルベース３０が捩れなくハンドル１１と一体に回転できる。
【００２１】
ロッキングリング連動部３０ａは、ロッキングリング２０の回転軌跡と重畳するように延び、ロッキングリング２０と重畳配置された一側に連結孔３１が形成される。この時、連結孔３１にはロッキングリング２０の上面に突設された連結突起２３が内部蓋部１０ｂの円弧形長孔１５を貫通して嵌合され、これによりロッキングリング２０がハンドル１１と連動して回転できる。
【００２２】
なお、内部蓋部１０ｂの下面にはリードプレート８０が結合され、さらにリードプレート８０の下面には内釜カバー(図示せず)が設けられる。
【００２３】
この実施形態においては、内釜(図示せず)の上端開口を密閉する密閉パッキング８２がリードプレート８０の下面に設けられたことを例示しているが、密閉パッキング８２は内釜カバー(図示せず)の縁部に設けられることもできる。
【００２４】
この時、内釜カバー(図示せず)の他側には内釜内の蒸気を排出するための複数の蒸気流動孔が形成され、リードプレート８０には蒸気流動孔に対面する部分に複数の連通孔８１ａ，８１ｂ，８１ｃが形成される。
【００２５】
リードプレート８０及び内部蓋部１０ｂの間には、各々の連通孔８１ａ，８１ｂ，８１ｃを一体にカバーし、各々の連通孔８１ａ，８１ｂ，８１ｃに対応する装着孔７１ａ，７１ｂ，７１ｃが形成された制御板７０が設けられる。勿論、制御板７０及びリードプレート８０が一体に形成されることもできる。
【００２６】
外部蓋部１０ａの他側には、各々の装着孔７１ａ，７１ｂ，７１ｃに対応するように複数の上部貫通部１３ａ，１３ｂ，１３ｃが形成され、内部蓋部１０ｂには、各々の上部貫通部１３ａ，１３ｂ，１３ｃの形成領域を包括するサイズの下部貫通部１３ｄが形成される。
【００２７】
圧力転換手段５０は、上部貫通部１３ａ，１３ｂ，１３ｃのうちのいずれか一方１３ａ及び下部貫通部１３ｄを介して蓋部１０を貫通するように配置され、内釜内の蒸気を排出するための選択的な開閉状態を維持するために備えられる。即ち、圧力転換手段５０は、開放及び閉鎖のうちいずれか一方を調理過程中に持続的に維持する。
【００２８】
圧力対応作動手段９０は、圧力転換手段５０が配置されていない上部貫通部１３ｂ，１３ｃ及び下部貫通部１３ｄを介して蓋部１０を貫通するように配置される。ここで、圧力対応作動手段９０は、電気信号によって開閉されるソレノイドバルブ９０ｂと、内釜内の蒸気圧力によって乗降する重量錘を備える圧力錘バルブ９０ａとからなる。
【００２９】
詳しくは、圧力対応作動手段９０は、圧力転換手段３０が閉鎖された圧力調理モードにおいて、内釜内の圧力の高低によって選択的に開閉される。
【００３０】
即ち、圧力転換手段５０が開放されると、調理中に内釜内の蒸気が持続的に排出される非圧力調理モードで調理が行われる。反面、圧力転換手段５０が閉鎖されると、圧力対応作動手段９０により内釜内の圧力が一定に維持される圧力調理モードで調理が行われる。
【００３１】
このために圧力転換手段５０の内部流路は、調理中に発生した蒸気が全部排出されて内釜内に圧力を発生させないサイズの断面積を有することが好ましい。
【００３２】
外部蓋部１０ａの上面には、上部貫通部１３ａ，１３ｂ，１３ｃの縁部に沿って装着溝１２が陥没形成され、圧力対応作動手段９０及び圧力転換手段５０の蒸気排出を案内するスチームキャップ６０が着脱される。
【００３３】
ここで、スチームキャップ６０の他側には圧力錘貫通孔６３が形成されて圧力錘バルブ９０ａの外周を囲み、内部に形成された案内空間６１には圧力転換手段５０及びソレノイドバルブ９０ｂの上端が配置される。
【００３４】
この時、圧力錘バルブ９０ａの蒸気は、圧力錘貫通孔６３の内側面に衝突して減速された後に外部に排出される。圧力転換手段５０及びソレノイドバルブ９０ｂの蒸気は、案内空間６１に突設された流速制御リブ(図示せず)に衝突して減速された後に案内空間６１の他端の蒸気案内孔６２を介して外部に排出される。これにより、高温・高圧蒸気の急速排出による火傷などの安全事故や蒸気排出騒音を最小化することができる。
【００３５】
また本体(図示せず)には、蓋部１０の開放端部１７に突設された係止突起１７ａをロックする補助ロック手段が備えられる。これにより、ロッキングリング２０がロック解除され圧力転換手段５０が開放された非圧力調理モードにおいても、蓋部２０の閉じ状態を安定的に維持することができる。よって、調理時に蒸気圧力による蓋部１０の開放或いは揺れ動きなどを防止して内釜(図示せず)と内釜カバーの密着状態を維持でき、内釜の蒸気が漏れることなく圧力転換手段５０及びスチームキャップ６０を介して安全に排出される。
【００３６】
なお、圧力転換手段５０は、下部シリンダー５３、昇降ピストン５２、上部シリンダー５１及び加圧手段からなる。
【００３７】
ここで、下部シリンダー５３は中空円筒型に形成されて内部に圧力転換流路５３ａを有し、下部貫通部１３ｄを貫通するように配置される。この時、下部シリンダー５３の下端が連通孔８１ａに密着するように結合されることにより圧力転換流路５３ａと内釜の内部が互いに連通する。
【００３８】
詳しくは、下部シリンダー５３の下端にＤカット結合部５３ｃが形成され、下部シリンダー５３と対向する連通孔８１ａは、Ｄカット結合部５３ｃに対応するようにＤカット断面に加工されたＤカット孔で形成されることが好ましい。これにより、Ｄカット結合部５３ｃの外周がＤカット孔の内周に嵌合支持されて蒸気の圧力による下部シリンダー５３の回転を防止できる。
【００３９】
この時、Ｄカット結合部５３ｃは外周に密閉Ｏリング５９が取り付けられた状態でＤカット孔に挿入され、Ｄカット孔に挿入されたＤカット結合部５３ｃの内周にはネジ山が形成されてシリンダーキャップ５８の外周側のネジ山が締結される。
【００４０】
シリンダーキャップ５８には内釜内の蒸気が流動するように複数の蒸気排出孔５８ｂが形成され、外周に沿ってＤカット孔の下縁端に係止する締結段差部５８ａが形成される。ここで、各々の蒸気排出孔５８ｂは、スナップリングプライヤーなどを用いてシリンダーキャップ５８が容易に回転締結されるように、シリンダーキャップ５８の面積中心点を基準として回転対称されて配列されることが好ましい。
【００４１】
この時、シリンダーキャップ５８がＤカット結合部５３ｃに結合されると、締結段差部５８ａ及び下部シリンダー５３の下端の間にＤカット孔の縁部が係止して下部シリンダー５３が固定される。また密閉Ｏリング５９により下部シリンダー５３の下端及びＤカット孔の縁部の間が密閉される。これにより内釜内の蒸気が漏れることなく圧力転換流路５３ａ内に安定的に流入できる。ここで、シリンダーキャップ５８はリードプレート８０の連通孔８１ａに一体に形成されることもできる。
【００４２】
勿論、図５に示したように、下部シリンダー１５３は制御板１７０の装着孔に固定されることもできる。即ち、下部シリンダー１５３の下端に設けられた固定締結部１５３ｃの外周にネジ山が形成され、装着孔１７１ａの内周にネジ山が形成されることにより、固定締結部１５３ｃが装着孔１７１ａに締結されることができる。この時、固定締結部１５３ｃの上端の外周には装着孔１７１ａの縁部に支持されるＯリング固定段部１５３ｅが備えられることが好ましい。またＯリング固定段部１５３ｅの下部に密閉Ｏリング１５９ａが取り付けられた状態で固定締結部１５３ｃが装着孔１７１ａの内周に結合されると、下部シリンダー１５３及び装着孔１７１ａの間が密閉される。
【００４３】
固定締結部１５３ｃの下端にシーリング部材１５９ｂが配置されて固定締結部１５３ｃ及び連通孔１８１ａの縁部の間が密閉され、下部シリンダー１５３が固定される。これにより、内釜内の蒸気が漏れることなく圧力転換流路に向かって安定的に流入され、下部シリンダー１５３及び圧力対応作動手段９０が一つの部品に纏めて固定されることができる。
【００４４】
下部シリンダーは装着孔１７１ａに嵌合などにより固定することができ、圧力転換流路及び連通孔の連通時に蒸気の漏れ防止のために密閉Ｏリング及びシーリング部材の装着位置を変更できる。
【００４５】
乗降ピストン５２は下部シリンダー５３上に乗降可能に結合され、昇降ピストン５２の昇降によって圧力転換流路５３ａが開閉される。
【００４６】
ここで、昇降ピストン５２は圧力転換流路５３ａより大きく形成され、下部シリンダー５３の上端に安着する安着板５２ａ、安着板５２ａの外側から上下方向に延長する上部スライド管５２ｃ及び下部スライド管５２ｂからなる。
【００４７】
この時、安着板５２ａの下面には圧力転換流路５３ａを遮蔽する遮蔽突起５２ｆが突設され、遮蔽突起５２ｆの外郭に沿って複数に分割された円弧形の転換排出孔５２ｅが形成される。
【００４８】
即ち、昇降ピストン５２の下降時に遮蔽突起５２ｆにより圧力転換流路５３ａの上端が密閉され、昇降ピストン５２の上昇時に遮蔽突起５２ｆが圧力転換流路５３ａの上端から離隔して内釜内の蒸気が転換排出孔５２ｅを通して上昇する。
【００４９】
上部シリンダー５１は中空円筒形に形成され、上部貫通部１３ａを貫通するように配置される。この時、上部シリンダー５１及び上部貫通部１３ａの間は管型密閉部材５７によって密閉され、上部シリンダー５１の上端の外周にはリング型密閉溝部５１ｃが陥没形成されて管型密閉部材５７の内周側シーリング突起５７ａが係止されて支持される。
【００５０】
上部シリンダー５１の下端には複数に分割された円弧形のコラム締結部５１ｂが形成され、コラム締結部５１ｂの内周にはネジ山が形成される。この時、コラム締結部５１ｂが転換排出孔５２ｅを貫通して下部シリンダー５３の上端外周５３ｄ側のネジ山に締結されることにより、上部シリンダー５１が下部シリンダー５３に固定される。ここで、コラム締結部５１ｂは昇降ピストン５２の上昇時に蒸気流動面積を確保するために転換排出孔５２ｅの断面積より小さく形成されることが好ましい。
【００５１】
上部シリンダー５１の内周には半径方向の内側に飛散防止板５１ｆが突出形成されることが好ましい。ここで、飛散防止板５１ｆは昇降ピストン５２の上昇時に転換排出孔５２ｅの上面から離隔する位置に形成され、転換排出孔５２ｅをカバーするサイズで形成されることが好ましい。
【００５２】
これにより、圧力転換手段５０の開放時に蒸気の円滑な排出が可能であり、かつ圧力転換流路５３ａの内面に凝縮した水分が蒸気と共に飛散排出されることを防止できる。よって飛散した水分による火傷などの安全事故を予防でき、飯炊時の粘性の水による蓋部１０の表面或いはスチームキャップ６０内の汚染が最小になって、より安全かつ清潔な使用が可能である。
【００５３】
なお、下部スライド管５２ｂは下部シリンダー５３の上側の外径より大きい内径を有し、上部スライド管５２ｃは上部シリンダー５１の下側の外径より大きい内径を有する。従って、昇降ピストン５２が下部シリンダー５３の外周及び上部シリンダー５１の外周を囲むように取り付けられることができる。これにより、各々のスライド管５２ｂ，５２ｃが各々のシリンダー５１，５３の外周に沿って案内されて、昇降ピストン５２が正確な方向に乗降でき、圧力転換流路５３ａの開閉を安定的に転換できる。
【００５４】
上部シリンダー５１の下部外周及び下部シリンダー５３の上部外周にはリング型密閉溝部５１ｄ，５３ｂが陥没形成されて密閉部材５５，５６が取り付けられる。この時、密閉部材５５，５６の外周には複数の密閉リブ５５ａ，５６ａが突設される。これにより、昇降ピストン５２の乗降時にも各々のスライド管５２ｂ，５２ｃ及びシリンダー５１，５３の間の空間が正確に密閉される。
【００５５】
乗降ピストン５２の上端及び下端の内周が密閉リブ５５ａ，５６ａの端部に支持されるので、半径方向の流動が最小化されて昇降ピストン５２がより正確な方向に乗降できる。これにより遮蔽突起５２ｆ及び圧力転換流路５３ａが同心整列状態を維持できるので、圧力転換流路５３ａの正確な開閉が可能である。
【００５６】
なお、下部スライド管５２ｂの外周には半径方向の外側に乗降翼部５２ｄが突設される。この時、乗降翼部５２ｄが加圧手段により下方に押圧されて圧力転換流路５３ａの閉鎖状態が維持される。加圧手段は圧力転換流路５３ａが所定の理想圧力以上では強制に開放されるように、理想圧力に対応する弾性係数を有するバネなどの弾性部材５４からなる。
【００５７】
詳しくは、上部シリンダー５１の外周にはバネ支持突起５１ａが突設され、バネ支持突起５１ａの下端には弾性部材５４の直径より大きいワッシャー部材５１ｅが取り付けられる。勿論、ワッシャー部材５１ｅはバネ支持突起５１ａに一体に備えられることもでき、バネ支持突起５１ａが弾性部材５４の直径に対応する面積で形成されることもできる。
【００５８】
乗降翼部５２ｄ及びワッシャー部材５１ｅの間に弾性部材５４が介在されることにより、遮蔽突起５２ｆ及び圧力転換流路５３ａの密着状態を維持できる。
【００５９】
勿論、図４に示したように、加圧手段は、理想圧力に対応する重量で備えられて乗降ピストン１５２の外周に結合される圧力荷重錘１５４からなることもできる。この時、圧力荷重錘１５４はリング状に形成され、乗降翼部１５２ｄの上面に安着されるか或いは乗降翼部１５２ｄに一体に形成される。ここで、理想圧力は圧力調理モードで圧力対応作動手段９０により制御される内釜内の圧力より大きい圧力に設定されることが好ましい。
【００６０】
即ち、圧力転換流路５３ａが閉鎖された状態で圧力対応作動手段９０により内釜内の圧力が制御されると、加圧手段５４，１５４による下方の押圧力により昇降ピストン５２の下降状態が維持され、圧力転換流路５３ａが閉鎖される。
【００６１】
この時、圧力対応作動手段９０の制御ミスや故障などにより内釜内の圧力が増加し過ぎると、遮蔽突起５２ｆが増加した蒸気圧力により上昇して圧力転換流路５３ａが強制開放される。これにより内釜内の過渡な圧力上昇による安全事故を予防できる。
【００６２】
ここで、圧力転換流路５３ａは上方に行くほど半径方向の内側に狭くなることが好ましい。これにより遮蔽突起５２ｆに対する蒸気の圧力面積が減少し、昇降ピストン５２の下降状態の維持のための加圧手段５４の圧力要求量が低減する。
【００６３】
遮蔽突起５２ｆは下方に行くほど半径方向の内側に狭くなり、圧力転換流路５３ａの上端には上方に行くほど半径方向の外側に広くなる密閉接触部５３ｆが備えられることが好ましい。これにより昇降ピストン５２の下降時に遮蔽突起５２ｆの傾いた下面及び密閉接触部５３ｆの傾いた内面が互いに面接触してより正確な密着が可能である。
【００６４】
圧力転換手段５０及びハンドルベース３０の間にはレバー連動部３０ｂの回転に対応して一側及び他側に直線移動するリフトレバー４０が設けられる。この時、リフトレバー４０は圧力転換手段５０の外周に接して直線移動するように配置されることが好ましい。
【００６５】
詳しくは、図１ないし図２Ａに示したように、リフトレバー４０は、レバー連動部３０ｂの回転軌跡をカバーする面積の板型で設けられた連結胴部４０ｃ、連結胴部４０ｃの他端から圧力転換手段５０の外周の両側に接するように延長した第１レバー胴部４０ａ及び第２レバー胴部４０ｂからなる。
【００６６】
この時、第１レバー胴部４０ａ及び第２レバー胴部４０ｂは圧力転換手段５０の外周に沿って配置され、直線移動時に乗降翼部５２ｄとの下面重畳状態を維持するようにリフトレバー４０の直線移動間隔以上に延びて形成されることが好ましい。
【００６７】
第１レバー胴部４０ａには連結胴部４０ｃに隣接する一端にガイド長孔４４ａが形成される。ここで、ガイド長孔４４ａは蓋部１０の一側及び他側方向に拡張して形成されることが好ましい。
【００６８】
ネジ部材１８ｃがガイド長孔４４ａを通して内部蓋部１０ｂに締結されると、ネジ部材１８ｃのヘッド部に備えられたワッシャー部材がガイド長孔４４ａの上縁端を支持する。これにより、ガイド長孔４４ａの内面がネジ部材１８ｃの外周に沿って案内されてリフトレバー４０が一側及び他側に直線移動することができる。
【００６９】
連結胴部４０ｃには、レバー連動部３０ｂの下端に突設された連動突起３２が挿入されるように貫通し、連動突起３２の回転軌跡の一端から接線方向に拡張形成されたクランク孔４１が形成される。この時、連動突起３２の回転軌跡は、ロッキングリング２０のロック回転時の連動突起３２の位置からロック解除回転時の連動突起３２の位置を連結した曲線を意味し、回転軌跡の一端は、ロッキングリング２０のロック回転時の連動突起３２の位置を意味する。即ち、クランク孔４１はロッキングリング２０のロック回転時の連動突起３２の位置からガイド長孔４４ａとは垂直方向に形成される。
【００７０】
これにより、ハンドルベース３０が回転すると、連動突起３２が円弧を書きながらクランク孔４１の内部に沿って横方向に移動し、クランク孔４１の一側の縁部を引いてリフトレバー４０が一側に直線移動する。またハンドルベース３０が逆回転すると、連動突起３２が反対方向に円弧移動し、クランク孔４１の他側の縁部を押してリフトレバー４０が他側に直線移動できる。この時、第１レバー胴部４０ａの下部に対応する下部貫通部１３ｄにはピン安全装置９０ｃが備えられることが好ましく、第１レバー胴部４０ａにはピン拘束孔４２が形成される。
【００７１】
詳しくは、ピン拘束孔４２は、ロッキングリング２０のロックのためにハンドルベース３０が回転して第１レバー胴部４０ａが他側に移動した状態でピン安全装置９０ｃの安全ピンに対向する部分に形成されることが好ましい。
【００７２】
この時、安全ピンは内釜内の圧力が所定の安全圧力より高い状態で上昇し、上昇した安全ピンがピン拘束孔４２に挿入されることにより第１レバー胴部４０ａの直線移動が拘束されるとともに、連動突起３２の移動が制限される。
【００７３】
これにより、内釜内の圧力が安全圧力より高い状態では、ハンドルベース３０の回転が制限され、ロッキングリング２０のロック解除が防止されるので、ハンドル１１の誤操作による高圧蒸気の漏れ及びそれによる火傷などの安全事故を予防できる。
【００７４】
第１レバー胴部４０ａ及び第２レバー胴部４０ｂの上面には、リフトレバー４０の直線移動時に圧力転換手段５０の外周に接する縁部に沿ってリフト突起４３が突設される。
【００７５】
この時、リフト突起４３はリフトレバー４０の直線移動時に乗降翼部５２ｄに対面する部分に沿って形成され、ハンドル１１のロック回転時に直線移動方向に行くほど上方に傾斜して突出されることが好ましい。
【００７６】
即ち、リフト突起４３は、ハンドル１１のロック回転状態では乗降翼部５２ｄの下面に対面する部分の突出高さが低く、ハンドル１１のロック解除回転状態では乗降翼部５２ｄの下面に対面する部分の突出高さが高く形成される。
【００７７】
詳しくは、ハンドル１１のロック回転時に乗降翼部５２ｄに対向するリフト突起４３の一側の最低端４３ｃの高さは、遮蔽突起５２ｆが下降して圧力転換流路５３ａが閉鎖されるように設定される。
【００７８】
ハンドル１１のロック解除回転時に乗降翼部５２ｄに対向するリフト突起４３の他側の最高端４３ｂの高さは、遮蔽突起５２ｆ及び圧力転換流路５３ａの間に十分な蒸気流動面積が形成されるように設定される。
【００７９】
これにより、ハンドル１１の回転に連動して圧力転換手段５０の開放および閉鎖状態が転換される。
【００８０】
即ち、図２Ａ及び図３Ａに示したように、リフトレバー４０が他側に移動した状態でハンドル１１がロック解除回転されると、リフトレバー４０が一側に引かれつつ乗降翼部５２ｄがリフト突起４３の傾斜面に沿ってスライドして上昇する。
【００８１】
この時、乗降翼部５２ｄの下縁端５２ｇはリフトレバー４０の移動時に接触したリフト突起４３が柔らかくスライドするようにラウンドして形成されることが好ましい。
【００８２】
上昇した乗降翼部５２ｄがリフト突起４３の最高端４３ｂにより支持されると、圧力転換流路５３ａが完全に開放され、開放された状態が維持される。
【００８３】
この時、内釜内の蒸気は、蒸気流動孔、蒸気排出孔５８ｂ、連通孔８１ａ、圧力転換流路５３ａ、転換排出孔５２ｅ、上部シリンダー５１の中空及びスチームキャップ６０を経て外部に排出される。これにより、内釜内の蒸気が持続的に排出され、内釜内の圧力が増加しない非圧力調理モードで調理が行われる。
【００８４】
また図２Ｂ及び図３Ｂに示すように、リフトレバー４０が一側に移動した状態で、ハンドル１１がロック回転すると、リフトレバー４０が他側に押し出され、乗降翼部５２ｄがリフト突起４３の傾斜面に沿ってスライドして下降する。乗降翼部５２ｄとリフト突起４３の最低端４３ａが対向配置されると、乗降翼部５２ｄに対する上方の加圧が解除されて昇降ピストン５２が下降し、圧力転換流路５３ａが完全に閉鎖される。
【００８５】
この時、加圧手段５４により昇降ピストン５２の下降状態が維持されるので、内釜内の蒸気は蒸気流動孔を通して圧力対応作動手段９０に流動して内釜内の圧力の高低によって選択的に排出され、内釜内の圧力が一定に維持される。
【００８６】
即ち、圧力転換手段５０が閉鎖された状態で内釜内の圧力が増加して圧力調理モードで調理が行われ、内釜内の圧力が一定水準以上に高くなると、圧力対応作動手段９０が開放されて内釜内の蒸気が蒸気流動孔、圧力対応作動手段９０及びスチームキャップ６０を経て外部に排出される。
【００８７】
このように圧力転換手段５０の開放及び閉鎖により、圧力が要らない料理のための非圧力調理モードと、圧力炊事などの高圧が必要な料理のための圧力調理モードを容易に転換できるので、一つの装置で多様な調理方法を自由に使用でき、圧力釜のご飯のもちもちしっとりとした食感、非圧力釜のご飯の柔らかい食感など、ユーザの好みによる炊事が可能であり、製品の互換性及び炊事品質が改善される。
【００８８】
さらに、非圧力調理モードではピン安全装置９０ｃなどの圧力安全装置が駆動されないので、蓋部１０の自由開閉が可能であり、調理中に追加材料の投入や調理状態の点検が容易になって製品の使用便宜性が改善される。
【００８９】
ハンドル１１を回転させるだけで圧力転換手段５０の開放および閉鎖状態を転換できるので、非圧力調理モード及び圧力調理モードを容易に選択でき、製品の使用便宜性が顕著に改善される。またハンドル１１及び圧力転換手段５０の連動のためのリフトレバー４０が内釜の高圧状態での開放を防止する役割も行うので、部品数が減少して製品の組立性が改善される。
【００９０】
ハンドル１１をロック解除方向に回転させるだけで圧力転換手段５０内の広い流路を通して内釜内の蒸気が迅速に非出されるので、従来内釜の残留圧の除去のために圧力錘バルブ９０ａを強制開放するタンブラーピンなどの構造を省略でき、非圧力調理モードの調理中に圧力錘バルブ９０ａの特有の蒸気排出騒音が除去されるので、製品の静かさが向上する。
【００９１】
このように乗降翼部は、圧力転換流路の開放および閉鎖状態が転換されるようにハンドルの回転に連動する手段に備えられたリフト突起の傾斜面に沿って乗降する。
【００９２】
図１ないし図６に示すように、ロッキングリング２０には、ロック回転方向及びロック解除回転方向に互いに離隔配置されて回転方向を表示する一対の標識者２２ａ，２２ｂが設けられる。
【００９３】
標識者２２ａ，２２ｂは永久磁石などからなり、内部蓋部１０ｂには各々の標識者２２ａ，２２ｂの磁力を感知する一対のセンサー１８ａ，１８ｂが備えられる。
【００９４】
詳しくは、内部蓋部１０ｂの上面には各々の標識者２２ａ，２２ｂの回転軌跡上に第１センサー１８ａ及び第２センサー１８ｂが設けられ、第１センサー１８ａはロッキングリング２０のロック時のロック回転方向側の第１標識者２２ａの位置に対応して配置され、第２センサー１８ｂはロッキングリング２０のロック解除時のロック解除回転方向側の第２標識者２２ｂの位置に対応して配置される。
【００９５】
この時、ロッキングリング２０がロックされると、第１センサー１８ａが第１標識者２２ａの磁力を感知して感知信号を送出し、ロッキングリング２０がロック解除されると、第２センサー１８ｂが第２標識者２２ｂの磁力を感知して感知信号を送出する。
【００９６】
ロッキングリング２０がロックされるようにハンドル１１が回転操作されると、ハンドル１１の回転に連動して圧力転換手段５０が閉鎖され、ロッキングリング２０がロック解除されるようにハンドル１１が回転操作されると、圧力転換手段５０が開放される。
【００９７】
この時、各々のセンサー１８ａ，１８ｂによる感知信号は制御部１９ａに伝達され、制御部１９ａはセンサー１８ａ，１８ｂのうちのいずれか一方から感知信号が受信されると、本体(図示せず)に対する電源供給が活性化されるように制御する。
【００９８】
即ち、本体(図示せず)の電源供給が活性化されると、本体に備えられた操作パネル１９ｂから入力された調理命令により内釜の加熱のための加熱手段１９ｃが駆動される。これにより、圧力転換手段５０が閉鎖された圧力調理モードだけではなく圧力転換手段５０が開放された非圧力調理モードでも内釜内の調理が行われる。
【００９９】
制御部１９ａは感知信号の未受信時には本体(図示せず)に対する電源供給が非活性化されるように制御する。これにより、ロッキングリング２０がロックされて圧力転換手段５０が完全に閉鎖されたか或いはロッキングリング２０がロック解除されて圧力転換手段５０が完全に開放された状態でのみ本体(図示せず)に対する電源供給が活性化される。
【０１００】
即ち、圧力転換手段５０が部分的に開放又は閉鎖された状態で調理が行われることを防止できるので、調理品質の低下、安全事故の発生などを予防できる。
【０１０１】
制御部１９ａは、ロッキングリング２０のロックに対応する感知信号が受信された状態で調理命令が入力されると、所定の圧力調理モードの制御アルゴリズムに基づいて内釜の調理温度を制御する。この時、制御部１９ａは圧力釜のご飯などの圧力調理に適合した調理温度が維持されるように加熱手段１９ｃの加熱量を制御する。
【０１０２】
制御部１９ａは、ロッキングリング２０のロック解除に対応する感知信号が受信された状態で調理命令が入力されると、所定の非圧力調理モードの制御アルゴリズムに基づいて加熱手段の加熱量を制御する。この時、制御部１９ａは非圧力釜のご飯などの非圧力調理に適合した調理温度が維持されるように加熱手段１９ｃの加熱量を制御する。
【０１０３】
これにより、ハンドル１１を回転させるだけでロッキングリング２０のロック及びロック解除が転換されるとともに、圧力転換手段５０の開閉状態が転換され、この転換された圧力／非圧力調理モードに適合した調理温度の制御アルゴリズムが自動に選択されるので、製品の使用便宜性及び調理品質が顕著に改善される。
【０１０４】
一方、図７は本発明の第２実施形態による電気炊飯器の蓋部を示す断面図である。この実施形態においては、乗降ピストン２５２の形状を除いた基本構成が上述した第１実施形態と同様であるので、同じ構成については同じ符号を使用し、具体的な説明は省略する。
【０１０５】
図７に示したように、圧力転換手段２５０は、下部シリンダー２５３、昇降ピストン２５２及び加圧手段からなる。この時、乗降ピストン２５２は上部貫通部１３ａを貫通して形成され、下部シリンダー２５３の上部に乗降可能に結合される。
【０１０６】
詳しくは、下部スライド管２５２ｂの下部の内周にはタブ組立突起２５２ｍが突設され、下部シリンダー２５３の上端の外周にはタブ結合突起２５３ｋ及び突起収容溝２５３ｍが形成される。
【０１０７】
ここで、タブ組立突起２５２ｍの内周及びタブ結合突起２５３ｋの外周にはネジ山が形成されて互いに締結でき、突起収容溝２５３ｍはタブ結合突起２５３ｋの下部に沿って乗降ピストン２５２の乗降間隔に対応する上下幅で形成される。
【０１０８】
即ち、タブ組立突起２５２ｍはタブ結合突起２５３ｋに回転締結されて下降し、タブ結合突起２５３ｋのネジ山を介して突起収容溝２５３ｍに挿入される。この時、タブ組立突起２５２ｍはタブ結合突起２５３ｋの下端から突起収容溝２５３ｍの内部に対応する範囲で上下流動できる。
【０１０９】
これにより、乗降ピストン２５２が下部シリンダー２５３の上部に結合されて上下方向に乗降できながらも、圧力転換手段２５０の開放時に蒸気排出の流れによる乗降ピストン２５２及び下部シリンダー２５３の分離が防止される。
【０１１０】
上部スライド管２５２ｃは上部貫通部１３ａを貫通して配置される長さに延長する。即ち、上部スライド管２５２ｃは遮蔽突起２５２ｆが圧力転換流路２５３ａの上端に密着された状態で上部貫通部１３ａの上側に露出される長さであることが好ましい。
【０１１１】
この時、加圧手段は、第１実施形態と同様に、弾性部材２５４或いは圧力荷重錘からなり、加圧手段が弾性部材２５４で形成された場合、弾性部材２５４の上端は上部貫通部１３ａの下縁部に支持される。
【０１１２】
上部スライド管２５２ｃ及び上部貫通部１３ａの間は管型密閉部材５７により密閉され、上部スライド管２５２ｃの上端の外周にはリング型密閉溝部２５２ｋが形成されて管型密閉部材５７の内周側のシーリング突起５７ａが係止して支持される。
【０１１３】
ここで、密閉溝部２５２ｋは乗降ピストン２５２の乗降間隔に対応するように上下方向に拡張形成されることが好ましい。これにより乗降ピストン２５２の乗降時にもシーリング突起及び密閉溝部２５２ｋの密着状態が安定的に維持できる。
【０１１４】
乗降ピストン２５２が上昇すると、内釜内の蒸気は蒸気流動孔、蒸気排出孔５８ｂ、連通孔８１ａ、圧力転換流路２５３ａ、転換排出孔２５２ｅ、上部スライド管２５２ｃ及びスチームキャップ６０を経て蓋部１０の外部に排出され、上部スライド管２５２ｃの内周には転換排出溝２５２ｅの上部をカバーする飛散防止段差部２５２ｈが形成される。
【０１１５】
このように、別途の上部シリンダー(図１の５１参照)がなくても内釜の内部が蓋部１０の外部に連通可能であり、乗降ピストン２５２の乗降時に上部シリンダー及び上部スライド管２５２ｃの間の密閉状態を維持するための密閉部材(図１の５５参照)を省略できるので、部品数が減少して製品の生産性及び組立性が改善される。
【０１１６】
一方、図８Ａ及び図８Ｂは、本発明の第３実施形態による電気炊飯器において圧力転換手段の開放および閉鎖状態を示す斜視図であり、図９Ａ及び図９Ｂは、本発明の第３実施形態による電気炊飯器において圧力転換手段の開放および閉鎖状態を示す斜視図である。
【０１１７】
この実施形態においては、リフトレバーを代替するようにハンドルベース３３０が圧力転換手段５０側に延長し、延長部分の上面にリフト突起３３３が一体に設けられることを除いた基本構成が上述した第１、第２実施形態と同様であるので、同じ構成については同じ符号を使用し、具体的な説明は省略する。
【０１１８】
図８Ａないし図９Ｂに示したように、ハンドルベース３３０は、支持部３３０ｃ、支持部３３０ｃの一端及び他端に突設されたロッキングリング連動部３３０ａ及びピストン連動部３３０ｂからなる。
【０１１９】
ピストン連動部３３０ｂは、ハンドルベース３３０の回転時に圧力転換手段５０の外周に接して回転するように延長される。即ち、ピストン連動部３３０ｂは扇形に延長形成されて圧力転換手段５０の外周に接する円弧形の縁部を有する。
【０１２０】
図示していないが、ピストン連動部３３０ｂの下部にはリフト突起が除去されたリフトレバーと類似する形状のピン拘束レバーが設けられることができ、ハンドルベース３３０の回転時にピン拘束レバーが一側及び他側に直線移動するようにピストン連動部３３０ｂの下面には連動突起が形成される。
【０１２１】
リフト突起３３３は、ピストン連動部３３０ｂの円弧形の縁部の上部にハンドルベース３３０の回転時に乗降翼部５２ｄと重畳する回転軌跡に沿って形成され、ロック回転方向に行くほど上方に傾斜するように突出形成されることが好ましい。
【０１２２】
即ち、リフト突起３３３は、ハンドルのロック解除状態で乗降翼部５２ｄの下面に対面する部分の突出高さが高く、ハンドルのロック状態で乗降翼部５２ｄの下面に対面する部分の突出高さが低く形成される。
【０１２３】
この時、ハンドルのロック回転時に乗降翼部５２ｄに対向するリフト突起３３３の最低端３３３ａの高さは遮蔽突起５２ｆが下降して圧力転換流路５３ａが閉鎖されるように設定される。
【０１２４】
またハンドルのロック解除回転時に乗降翼部５２ｄに対向するリフト突起３３３の最高端３３３ｂの高さは遮蔽突起５２ｆ及び圧力転換流路５３ａの間に十分な蒸気流動面積が形成されるように設定される。
【０１２５】
詳しくは、図８Ａ及び図９Ａに示したように、リフト突起３３３の最高端３３３ｂが乗降翼部５２ｄの下面に配置されると、乗降翼部５２ｄが上方に押圧されて圧力転換手段５０が開放されることにより、内釜内の蒸気が圧力転換手段５０の内部流路に持続的に排出され、非圧力状態で調理が行われる。
【０１２６】
また図８Ｂ及び図９Ｂに示したように、リフト突起３３３の最低端３３３ａが乗降翼部５２ｄの下面に配置されると、乗降翼部５２ｄが加圧手段により下方に押圧されて圧力転換手段５０が閉鎖される。
【０１２７】
この時、加圧手段により上昇ピストン５２の下降状態が維持されるので、内釜の加熱時に圧力対応作動手段９０により内釜内の蒸気が選択的に排出されて圧力状態で調理が行われる。
【０１２８】
これにより、ハンドルの回転操作のみで非圧力調理モード及び圧力調理モードを容易に選択でき、製品の使用便宜性が顕著に改善される。またハンドル及び圧力転換手段５０の連動のためのリフト突起３３３がハンドルベース３３０に一体に設けられるので、部品数及び部品間の連結構造を簡素化でき、製品の生産性及び組立性が改善される。
【０１２９】
本発明によれば、以下の効果を提供する。
【０１３０】
第１に、圧力転換手段の開放及び閉鎖により、圧力が要らない料理のための非圧力調理モードと、高圧が必要な料理のための圧力調理モードを容易に転換できる。よって、一つの装置で多様な調理方法を自由に使用でき、圧力釜のご飯のもちもちしっとりとした食感、非圧力釜のご飯の柔らかい食感など、ユーザの好みによる炊事が可能であり、製品の互換性及び炊事品質が改善される。
【０１３１】
さらに、非圧力調理モードにおいては、圧力安全装置による制限なく、蓋部の自由開閉が可能であり、調理中に追加材料の投入や調理状態の点検が容易になるので、製品の使用便宜性が改善される。
【０１３２】
第２に、ハンドルの回転に連動して圧力転換手段の開放および閉鎖状態が転換されるので、ハンドルを回転するだけで、非圧力調理モード及び圧力調理モードを容易に選択でき、製品の使用便宜性が改善される。
【０１３３】
第３に、乗降ピストンの下降状態を維持するための加圧手段が所定の理想圧力に対応する弾性力或いは荷重を有する。従って、圧力調理時に圧力転換流路を安定的に閉鎖でき、圧力対応作動手段のエラーなどにより内釜内の圧力が上昇し過ぎた場合にも、圧力転換流路が強制開放されて製品の安全性が改善される。
【０１３４】
第４に、昇降ピストンの転換排出孔が飛散防止板又は飛散防止段差部によりカバーされて圧力転換流路の内面に凝縮された水分が蒸気と同時に飛散排出されることを防止できるので、飛散された水分による安全事故を予防できるとともに、飯炊時の粘性の水による蓋部及びスチームキャップの汚染が最小になってより清潔な使用が可能である。
【０１３５】
第５に、制御部がロッキングリングのロック及びロック解除時に標識者の位置によるセンサーの感知信号に基づいて圧力転換手段の開閉を判別する。即ち、ハンドルの回転により転換された非圧力調理モード及び圧力調理モードに適合した調理温度制御アルゴリズムが自動に選択されるので、製品の使用便宜性及び調理品質が顕著に改善される。
【０１３６】
以上、本発明は、限定された実施形態と図面により説明されたが、本発明は、上記の実施形態に限定されるものではなく、本発明が属する分野における通常の知識を有した者であればこのような記載から多様な修正及び変形が可能である。従って、本発明の範囲は、説明された実施形態に限定されてはならず、後述する特許請求の範囲だけでなく、この特許請求の範囲と均等なものによって定められる。
【図１】
2019013742.tif 000003
【図２Ａ】
2019013742.tif 000004
【図２Ｂ】
2019013742.tif 000005
【図３Ａ】
2019013742.tif 000006
【図３Ｂ】
2019013742.tif 000007
【図４】
2019013742.tif 000008
【図５】
2019013742.tif 000009
【図６】
2019013742.tif 000010
【図７】
2019013742.tif 000011
【図８Ａ】
2019013742.tif 000012
【図８Ｂ】
2019013742.tif 000013
【図９Ａ】
2019013742.tif 000014
【図９Ｂ】
2019013742.tif 000015